(57)【特許請求の範囲】
【請求項１】
筐体と、
表示面と背面とを有し前記筐体に収容された表示装置と、
前記表示装置の前記背面側に位置されるとともに前記筐体に収容された回路基板と、
前記筐体に収容され、前記回路基板に電気的に接続され、外部コネクタが接続されるコネクタと、
を備え、
前記コネクタは、
前記外部コネクタが挿入される挿入部が設けられた絶縁部材と、
前記挿入部への前記外部コネクタの挿入方向と交差する方向で前記絶縁部材に並列して設けられた複数の端子部材と、
各前記端子部材に含まれ、前記挿入部内で前記外部コネクタと電気的に接続される第１の端子部と、
各前記端子部材に含まれ、前記第１の端子部に電気的に接続され相互に異なる方向を向いた棒状の複数の第２の端子部と、
前記絶縁部材の一部を含む複数の側部と、
を有し、
各前記端子部材における前記複数の第２の端子部のうちの一つが前記回路基板に電気的に接続され、
前記複数の第２の端子部は、相互に異なる前記側部に設けられ、
前記コネクタは、相互に接続された二つの前記第２の端子部を有し、
前記二つの第２の端子部は、相互の接続部から相互に異なる方向に延び、
前記第１の端子部は、前記二つの第２の端子部のうちの一方の第２の端子部における前記接続部から離間した部分から、前記二つの第２の端子部のうちの他方の第２の端子部に沿って延びて設けられた第１部分と、前記第１部分の先端部から前記他方の第２の端子部側の反対側に折り返して設けられ前記外部コネクタと電気的に接続された第２部分と、を有し、
複数の前記端子部材の列方向で複数の前記第２の端子部がずれて位置された前記端子部材が設けられた電子機器。
【請求項２】
前記二つの第２の端子部の一方の第２の端子部における前記接続部と反対側の端部から前記他方の第２の端子部に沿って延びた、前記二つの第２の端子部とは別の前記第２の端子部を備える請求項１に記載の電子機器。
【請求項３】
前記複数の第２の端子部に対応して設けられた複数の固定部が設けられ、前記複数の端子部材が相互間に位置され、前記絶縁部材に設けられた一対の補強部材を備え、
各前記補強部材における前記複数の固定部のうちの一つが前記回路基板に固定された請求項１または２に記載の電子機器。
【請求項４】
前記固定部は、対応する前記第２の端子部に沿った請求項３に記載の電子機器。
【請求項５】
前記回路基板は、前記コネクタが電気的に接続された実装面を有し、
前記回路基板に接続された前記第２の端子部は、前記実装面に沿っており、前記回路基板に接続された前記第２の端子部以外の前記第２の端子部は、前記実装面から遠ざかる方向に延びた請求項１ないし４のいずれか一項に記載の電子機器。
【発明の詳細な説明】
【技術分野】
【０００１】
本発明の実施形態は、電子機器に関する。
【背景技術】
【０００２】
従来、コネクタが実装された回路基板が筐体に収容されたテレビジョン受像機や電子機器が知られている。
【０００３】
コネクタには、回路基板の実装面に対して垂直に相手コネクタが挿入されるストレートタイプや回路基板の実装面に沿って相手コネクタが挿入されるライトアングルタイプなどがある。
【先行技術文献】
【特許文献】
【０００４】
【特許文献１】特開平８−４５５７８号公報
【発明の概要】
【発明が解決しようとする課題】
【０００５】
テレビジョン受像機や電子機器では、回路基板の実装効率の向上が望まれている。
【０００６】
本発明は、上記に鑑みてなされたものであって、一例として、回路基板の実装効率を向上させることができる電子機器を得ることを目的の一つとする。
【課題を解決するための手段】
【０００７】
実施形態の電子機器は、筐体と、表示装置と、回路基板と、コネクタと、を備えた。前記表示装置は、表示面と背面とを有し前記筐体に収容された。前記回路基板は、前記表示装置の前記背面側に位置されるとともに前記筐体に収容された。前記コネクタは、前記筐体に収容され、前記回路基板に電気的に接続され、外部コネクタが接続される。前記コネクタは、前記外部コネクタが挿入される挿入部が設けられた絶縁部材と、前記挿入部への前記外部コネクタの挿入方向と交差する方向で前記絶縁部材に並列して設けられた複数の端子部材と、各前記端子部材に含まれ、前記挿入部内で前記外部コネクタと電気的に接続される第１の端子部と、各前記端子部材に含まれ、前記第１の端子部に電気的に接続され相互に異なる方向を向いた棒状の複数の第２の端子部と、前記絶縁部材の一部を含む複数の側部と、を有し、各前記端子部材における前記複数の第２の端子部のうちの一つが前記回路基板に電気的に接続され、前記複数の第２の端子部は、相互に異なる前記側部に設けられ、前記コネクタは、相互に接続された二つの前記第２の端子部を有し、前記二つの第２の端子部は、相互の接続部から相互に異なる方向に延び、前記第１の端子部は、前記二つの第２の端子部のうちの一方の第２の端子部における前記接続部から離間した部分から、前記二つの第２の端子部のうちの他方の第２の端子部に沿って延びて設けられた第１部分と、前記第１部分の先端部から前記他方の第２の端子部側の反対側に折り返して設けられ前記外部コネクタと電気的に接続された第２部分と、を有し、複数の前記端子部材の列方向で複数の前記第２の端子部がずれて位置された前記端子部材が設けられた。
【図面の簡単な説明】
【０００８】
【図１】図１は、第１実施形態にかかるテレビジョン受像機の一例が示された正面図である。
【図２】図２は、第１実施形態にかかるテレビジョン受像機の一例が示された側面図である。
【図３】図３は、図１のIII−III断面の一例が示された模式図である。
【図４】図４は、図１のIV−IV断面の一例が示された模式図である。
【図５】図５は、第１実施形態にかかるテレビジョン受像機の回路基板とコネクタとの一例が示された斜視図である。
【図６】図６は、第１実施形態にかかるテレビジョン受像機の回路基板とコネクタとの別の一例が示された斜視図である。
【図７】図７は、図５のVII-VII線断面図である。
【図８】図８は、図５のVIII-VIII線断面図である。
【図９】図９は、図６のIX-IX線断面図である。
【図１０】図１０は、図６のX-X線断面図である。
【図１１】図１１は、第１実施形態の変形例にかかるテレビジョン受像機の図７と同等位置での断面図である。
【図１２】図１２は、第２実施形態にかかるテレビジョン受像機の図７と同等位置での断面図である。
【図１３】図１３は、第２実施形態にかかるテレビジョン受像機の図１７と同等位置での断面図である。
【図１４】図１４は、第２実施形態の変形例にかかるテレビジョン受像機の図７と同等位置での断面図である。
【図１５】図１５は、第２実施形態の変形例にかかるテレビジョン受像機の図１７と同等位置での断面図である。
【図１６】図１６は、第３実施形態にかかるテレビジョン受像機の回路基板とコネクタとの一例が示された斜視図である。
【図１７】図１７は、第４実施形態にかかる電子機器の一例が示された斜視図である。
【図１８】図１８は、第４実施形態にかかる電子機器の一例が示された背面図である。
【図１９】図１９は、第４実施形態にかかる電子機器の第一部材を含む内部構成の一例が示された平面図（背面図）である。
【図２０】図２０は、第４実施形態にかかる電子機器の第二部材を含む内部構成の一例が示された平面図（正面図）である。
【図２１】図２１は、第４実施形態にかかる電子機器の第二部材を含む内部構成が示された平面図（正面図）であって、回路基板にカバーが設けられた状態の一例が示された図である。
【図２２】図２２は、第５実施形態にかかる電子機器の一例が示された斜視図である。
【発明を実施するための形態】
【０００９】
以下の例示的な複数の実施形態には、同様の構成要素が含まれている。よって、以下では、同様の構成要素には共通の符号が付されるとともに、重複する説明が部分的に省略される。また、各図では、便宜上、方向（Ｘ方向、Ｙ方向、Ｚ方向）が示されている。Ｘ方向は、表示面４ａに対する正面視での長手方向、Ｙ方向は、表示面４ａに対する正面視での短手方向、Ｚ方向は表示面４ａに対する正面視での前後方向（奥行方向、筐体３Ａの厚さ方向）である。Ｘ方向、Ｙ方向、およびＺ方向は、相互に直交している。
【００１０】
また、以下の実施形態では、電子機器がテレビジョン受像機またはパーソナルコンピュータとして構成された場合が例示されるが、本実施形態にかかる電子機器は、これらには限定されない。本実施形態にかかる電子機器は、例えば、スマートフォンや、スマートブック、携帯電話機、ＰＤＡ（personal  digital  assistant）、映像表示装置、テレビ電話機等の種々の電子機器として構成することができる。
【００１１】
＜第１実施形態＞
本実施形態では、一例として、図１，２に示されるように、電子機器の一例であるテレビジョン受像機１Ａは、支持部２Ａ（支部、台、スタンド）と、筐体３Ａと、を備える。具体的に、支持部２Ａは、机や、棚、台等の載置部（載置面、図示されず）上に載置され、筐体３Ａを起立された状態に支持する。支持部２Ａは、筐体３Ａを固定的に支持してもよいし、移動可能（回動可能、スライド可能）に支持してもよい。筐体３Ａの支持部２Ａに対する移動形態（回動形態）としては、例えばチルトや、スイベル、ピボット等がある。
【００１２】
また、本実施形態では、一例として、図１からわかるように、筐体３Ａは、正面視および背面視では矩形状（本実施形態では一例として長方形状）の外観を呈している。また、図２に示されるように、筐体３Ａは、前後方向（筐体３Ａの厚さ方向、Ｚ方向）に薄い偏平な直方体状に構成されている。筐体３Ａは、前面３ａ（正面、面、面部）とその反対側の後面３ｂ（背面、面、面部）と、を有する。前面３ａと後面３ｂとは略並行して（本実施形態では一例として平行に）設けられている。また、図１に示されるように、筐体３Ａは、正面視では、四つの端部３ｃ〜３ｆ（辺部、縁部）と、四つの角部３ｇ〜３ｊと（尖部、曲部、端部）、を有する。また、端部３ｃ，３ｅは、長辺部の一例である。端部３ｄ，３ｆは、短辺部の一例である。
【００１３】
また、筐体３Ａは、前面３ａを有する壁部３ｋ（部分、プレート、フレーム、前壁部、表壁部、天壁部）と、後面３ｂを有する壁部３ｍ（部分、プレート、後壁部、裏壁部、底壁部、第二壁部）と、を有する。壁部３ｋ，３ｍは、矩形状（本実施形態では一例として長方形状）である。また、壁部３ｋは枠状であり、壁部３ｍは板状である。また、筐体３Ａは、壁部３ｋと壁部３ｍとの間に亘った側面３ｐ（面、周面）を有する四つの壁部３ｎ（部分、プレート、側壁部、端壁部、立壁部、亘部、第一壁部）を有する。壁部３ｋには、矩形状の開口部３ｒが設けられている。
【００１４】
さらに、筐体３Ａは、複数の部品（分割体、部材）が組み合わせられて構成されている。筐体３Ａは、一例としては、少なくとも壁部３ｋを含む第一部材３Ｆｒ（第一部分、前側部材、カバー、ベゼル、フレーム）と、少なくとも壁部３ｍを含む第二部材３Ｒｒ（第二部分、後側部材、ベース、ボトム、プレート）とを有する。また、壁部３ｎは、本実施形態では、第一部材３Ｆｒの一部として構成されている。壁部３ｎは、筐体３Ａの厚さ方向の開口部３ｒが設けられた側の端部３ｎ１（一端部、前端部、前面３ａ）とその反対側の端部３ｎ２（他端部、後端部、後面３ｂ）とに亘り、表示装置４の周縁部（側面４ｂ、図３，４参照）を覆っている。
【００１５】
また、本実施形態では、一例として、第一部材３Ｆｒは、合成樹脂材料で構成され、第二部材３Ｒｒは、金属材料で構成される。上述したように、第一部材３Ｆｒは、壁部３ｎを含む。よって、この第一部材３Ｆｒが合成樹脂材料より比重が大きい金属材料で構成されると、筐体３Ａが重くなりやすい。また、第二部材３Ｒｒは、壁部３ｎを含まない。よって、この第二部材３Ｒｒが金属材料より柔らかい（曲がりやすい、撓みやすい）合成樹脂材料で構成されると、筐体３Ａの剛性が低くなりやすい。この点、本実施形態では、一例として、第一部材３Ｆｒは合成樹脂材料で構成され、第二部材３Ｒｒは金属材料で構成されるため、筐体３Ａの軽量化と剛性および強度の向上とが両立されやすい。なお、このような材料（材質）の組み合わせはあくまで一例であって、他の材料の組み合わせでも構わない。
【００１６】
また、本実施形態では、一例として、図３，４に示されるように、筐体３Ａ内には、表示装置４（表示部、ディスプレイ、パネル、表示部品）が収容されている。具体的には、表示装置４の、前面３ａ側に位置した表示面４ａ（表示画面、画面、第１面、領域、部分、部位、壁）は、開口部３ｒを介して筐体３Ａの前方（外方）に露出している。表示装置４は、表示面４ａと表示面４ａの反対側の背面４ｄとを有する。画面使用者は、前方側から開口部３ｒを介して表示面４ａを視認することができる。表示装置４は、正面視では矩形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid  crystal  display）や、有機ＥＬディスプレイ（ＯＥＬＤ，organic  electro-luminescent  display）、プラズマディスプレイ（ＰＤＰ，plasma  display  panel）等である。
【００１７】
また、本実施形態では、一例として、図３，４に示されるように、表示装置４の前側（表側、壁部３ｋ側）には、透明な比較的薄い矩形状の入力操作パネル５（一例としてはタッチパネル、タッチセンサ、操作面）が設けられている。入力操作パネル５は、表示面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示面４ａから出た光は、入力操作パネル５を通過して壁部３ｋの開口部３ｒから筐体３Ａの前方（外方）へ出る。入力操作パネル５は、入力部の一例である。
【００１８】
また、本実施形態では、一例として、図３，４に示されるように、表示装置４および入力操作パネル５は、第一部材３Ｆｒに支持される。具体的には、表示装置４および入力操作パネル５は、第一部材３Ｆｒに、例えば、固定具（固定部品、金具、例えば、ねじ、金具、部品等、図示されず）や接着部（例えば接着剤や両面テープ等、図示されず）を介して固定される。表示装置４および入力操作パネル５は、壁部３ｋあるいは壁部３ｎ（の端部３ｎ１）に固定される。また、本実施形態では、一例として、第一部材３Ｆｒ（の壁部３ｎ）の前側の端部３２ａ（面、端面）が入力操作パネル５の面５ａ（前面、表面）に沿った方向に並び、当該面５ａと連なっている。また、本実施形態では、一例として、壁部３ｋの前面３ａと表示装置４の表示面４ａとが連なっており、それら前面３ａおよび表示面４ａを入力操作パネル５が覆っている。
【００１９】
また、本実施形態では、一例として、図３，４に示されるように、筐体３Ａ内には、表示装置４の後側（背面４ｄ側、裏側、背後側、壁部３ｍ側、表示面４ａとは反対側）に、電気部品としてのバッテリ６（セル、組電池）や回路基板７，８（基板、プリント基板、制御基板、ただし、図３，４には回路基板８は図示されず）等が収容されている。バッテリ６や、回路基板７，８、表示装置４等の電気部品は、図示されない配線（ケーブル、フレキシブルケーブル、フレキシブルプリント配線板等）を介して、それぞれ他の電気部品と電気的に接続されている。
【００２０】
本実施形態では、一例として、バッテリ６は、リチウムイオン二次電池として構成されることができる。リチウムイオン二次電池は、非水電解質二次電池の一種であり、電解質中のリチウムイオンが電気伝導を担う。正極材料としては、例えば、マンガンや、ニッケル、リン酸鉄等が用いられ、負極材料としては、例えば、チタン酸リチウム（ＬＴＯ）等の酸化物系材料や、炭素系材料等が用いられる。また、電解質（一例としては電解液）としては、例えば、フッ素系錯塩（ＬｉＢＦ４）等のリチウム塩が配合された炭酸エチレンや炭酸ジエチル等の有機溶媒等が用いられる。本実施形態では、一例として、バッテリ６は、回路基板７，８や、表示装置４、スピーカ（図示されず）等の筐体３Ａ内の電気部品や、回路基板７，８等に、コネクタや配線等を介して、テレビジョン受像機１Ａが映像を表示したり音声を出力したりといった動作を行うために必要な電源電力を供給することができる。また、バッテリ６は、コネクタや配線等を介して回路基板７，８等に接続された外部装置等に電力を供給することもできる。
【００２１】
また、本実施形態では、一例として、図１に示されるように、バッテリ６は複数のセル６１，６２，６３を有している。複数のセル６１，６２，６３は、電気的には直列または並列に接続される。また、複数のセル６１，６２，６３は、端部３ｃに沿って並べられている。また、本実施形態では、一例として、バッテリ６は、回路基板６４を有し、複数のセル６１，６２，６３は、各セル６１，６２，６３の電極（図示されず）を介して回路基板６４（の導体パターン）に接続（接合）され、一体化されている。このように、複数のセル６１，６２，６３が一体化されることで、セル６１，６２，６３をそれぞれ組み付ける場合に比べて、製造の手間およびコストが低減されやすい。また、回路基板６４は、一例としては、回路基板７，８と各セル６１，６２，６３との間、あるいは、各セル６１，６２，６３間を電気的に接続するバスバー（導体、図示されず）を有する。また、回路基板６４には、電気部品（図示されず）が設けられて（実装されて）いる。電気部品と回路基板６４の導体パターン（配線パターン、図示されず）とによって、一例としては、各セル６１，６２，６３あるいはバッテリ６の出力電力（電圧）や温度等を監視する機能を実現するための電気回路（電子回路）が構成されている。
【００２２】
セル６１，６２，６３は、それぞれ、電解質（電解液）や、電極、セパレータ等が収容（封入）された室（収容部）が設けられた、独立した単電池として構成されている。また、これらセル６１，６２，６３は、いずれも、筐体３Ａの厚さ方向（Ｚ方向）に薄く偏平な直方体状（板状、角板状、カード状）に構成されている。また、本実施形態では、一例として、セル６１，６２，６３の最外層は、絶縁性かつ可撓性を有したシート状の外皮（皮、膜）であり、硬質なケース（シェル）は設けられていない。よって、本実施形態によれば、一例としては、ケースを有しない分、バッテリ６（セル６１，６２，６３）がより小型に（薄く）かつより軽量に構成されやすくなり、ひいては、筐体３Ａ（テレビジョン受像機１Ａ）がより小型に（薄く）かつより軽量に構成されやすい。また、本実施形態では、一例として、複数のセル６１，６２，６３が、それぞれ区分されたバッグ（部分）として構成されている。よって、一例としては、複数のセル６１，６２，６３が堅く一体的に結合された場合に比べて、外力の作用等によってバッテリ６に生じる局所的な応力が、より低減されやすい。
【００２３】
また、本実施形態では、一例として、回路基板７，８の少なくともいずれか一方には、ＣＰＵ（central  processing  unit）等の複数の部品９（部品、素子、電子部品、電気部品）が実装されている。部品９には、発熱体が含まれる。発熱量の大きい部品９（発熱体）には、冷却機構（放熱部、受熱部、図示されず）を設けることができる。回路基板７，８や部品９等によって、制御回路（図示されず）の少なくとも一部が構成されている。制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）等）、音声信号処理回路等を、含むことができる。制御回路は、表示装置４の表示面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００２４】
本実施形態では、図４に示すように、回路基板７の実装面７ａ（面、一面、第１の面）には、コネクタ１６として、第１のコネクタ１６Ａおよび第２のコネクタ１６Ｂが設けられている。図５には第１のコネクタ１６Ａが示され、図６には第２のコネクタ１６Ｂが示されている。図５および図６に示されるように、第１のコネクタ１６Ａと第２のコネクタ１６Ｂとは、同一の構成であるが、回路基板７に対する取付姿勢が相互に異なっている。第１のコネクタ１６Ａおよび第２のコネクタ１６Ｂは、筐体３Ａに収容され、回路基板７に電気的に接続され、外部コネクタ１８（コネクタ、相手コネクタ、他のコネクタ、別のコネクタ）が接続される。第１のコネクタ１６Ａおよび第２のコネクタ１６Ｂは、外部コネクタ１８が挿入される雌型コネクタである。第１のコネクタ１６Ａと第２のコネクタ１６Ｂとは同一の構成であるので、以下では、第１のコネクタ１６Ａの構成を詳細に説明する。
【００２５】
第１のコネクタ１６Ａは、図５、図７および図８に示すように、側部１６ｅが実装面７ａに実装されている。第１のコネクタ１６Ａは、一例として、直方体状の外観形状を有している。第１のコネクタ１６Ａは、絶縁部材１９（ボディ、骨格部材、支持部材、支持部、保持部材、保持部）と、複数の端子部材２０（実装部、固定部、接部、支持部、支部、繋がる部分、接続部分、連続部分、連結部分、連なる部分、続く部分、端子、電極部材、電極）と、一対（複数）の補強部材２１（部材、骨格部材、フレーム、部分）と、を有している。第１のコネクタ１６Ａは、長手方向の二つの端部１６ａ，１６ｂと、これらの二つの端部１６ａ，１６ｂを接続した四つの側部１６ｃ，１６ｄ，１６ｅ，１６ｆと、を有している。一つの側部１６ｃには、開口部１６ｇが設けられている。各側部１６ｃ，１６ｄ，１６ｅ，１６ｆは、絶縁部材１９の一部をそれぞれ含んでいる。なお、各側部１６ｃ，１６ｄ，１６ｅ，１６ｆに異なる色を付して側部１６ｃ，１６ｄ，１６ｅ，１６ｆを容易に区別できるようにしてよい。
【００２６】
絶縁部材１９は、一例として、直方体状の外観形状を有している。絶縁部材１９は、長手方向の二つの端面（端部、部分）１９ａ，１９ｂと、これらの二つの端面１９ａ，１９ｂを接続した四つの側面（側部、部分）１９ｃ，１９ｄ，１９ｅ，１９ｆと、を有している。一つの側面１９ｃには、開口部１６ｇが設けられている。また、絶縁部材１９には、外部コネクタ１８が挿入される挿入部（連結部、接続部、繋がる部分、嵌合部、係部）１９ｇが設けられている。図中の矢印Ｄは、挿入部１９ｇへの外部コネクタ１８の挿入方向を示している。挿入部１９ｇは、側面１９ｃから側面１９ｅに向けて凹状に設けられている。この挿入部１９ｇの側面１９ｃ側の端部に開口部１６ｇが設けられている。絶縁部材１９は、絶縁材料によって構成されて、絶縁性を有している。絶縁材料は、一例として、樹脂である。
【００２７】
端子部材２０は、一例として、銅合金などによって成形されて、その表面に金や銀、錫、ニッケル等のめっきが施されて構成されており、導電性を有している。端子部材２０は、インサート成形や圧入成形等によって絶縁部材１９に設けられている。複数の端子部材２０は、挿入部１９ｇへの外部コネクタ１８の挿入方向と交差する方向で絶縁部材１９に並列して（並んで）設けられている。挿入部１９ｇへの外部コネクタ１８の挿入方向と交差する方向は、一例として、第１のコネクタ１６Ａ（絶縁部材１９）の長手方向である。複数の端子部材２０は、相互に間隔をあけて配置されている。複数の端子部材２０は、相互に平行な状態で一列状に配置されている。複数の端子部材２０は、一例として回路基板７の辺に沿って並んでいる。
【００２８】
各端子部材２０は、図７に示すように、第１の端子部２０ａ（接部、支持部、支部、繋がる部分、接続部分、連続部分、連結部分、連なる部分、続く部分、端子、電極）と、二つ（複数）の第２の端子部２０ｂ（実装部、固定部、接部、支持部、支部、繋がる部分、接続部分、連続部分、連結部分、連なる部分、続く部分、端子、電極）と、を含む。第１の端子部２０ａは、挿入部１９ｇ内で外部コネクタ１８と電気的に接続される。第１の端子部２０ａは、外部コネクタ１８の端子部（図示されず）と電気的に接続される。
【００２９】
複数の第２の端子部２０ｂは、相互に異なる側部１６ｄ，１６ｅに設けられている。複数の第２の端子部２０ｂは、第１の端子部２０ａに電気的に接続され相互に異なる方向を向いている。詳細には、本実施形態では、各第２の端子部２０ｂに設けられた接続面（面、一面、接続部、実装部、実装面、固定面、固定部、支持部、支部、繋がる部分、接続部分、連続部分、連結部分、連なる部分、続く部分）２０ｃが相互に異なる方向を向いていることで、複数の第２の端子部２０ｂが相互に異なる方向を向いている。一方の接続面２０ｃは、外部コネクタ１８の挿入方向に沿っており、他方の接続面２０ｃは、外部コネクタ１８の挿入方向と交差する方向に沿っている。一方の接続面２０ｃは、回路基板７の実装面７ａに沿っており、他方の接続面２０ｃは、実装面７ａと交差する方向に沿っている。二つの第２の端子部２０ｂは、Ｌ字状をなしている。接続面２０ｃは、第２の端子部２０ｂにおける挿入部１９ｇ側と反対側の面であり、絶縁部材１９から露出している。接続面２０ｃは、挿入部１９ｇとは異なる位置に配置されている。接続面２０ｃは、第１のコネクタ１６Ａの外面を構成している。接続面２０ｃは、端子部材２０が回路基板７に実装されていない場合、実装面７ａに実装可能な面であり、本実施形態では、一つの端子部材２０に設けられた二つ（複数）の第２の端子部２０ｂのうちの一つの第２の端子部２０ｂの接続面２０ｃが実装面７ａに実装されている。接続面２０ｃは、一例として、はんだ（図示されず）によって実装面７ａに固定されている。このように、本実施形態では、端子部材２０における二つ（複数）の第２の端子部２０ｂのうちの一つが回路基板７に電気的に接続されている。
【００３０】
二つの第２の端子部２０ｂは、相互に接続されている。各第２の端子部２０ｂは、棒状（線状、長手方向を有する形状）に設けられている。二つの第２の端子部２０ｂは、相互の接続部２０ｄから相互に異なる方向に延びている。二つの第２の端子部２０ｂは、略直角をなして接続されている。回路基板７に接続された第２の端子部２０ｂは、実装面７ａに沿っており、回路基板７に接続された第２の端子部２０ｂ以外の第２の端子部２０ｂは、実装面７ａから遠ざかる方向に延びている。
【００３１】
第１の端子部２０ａは、第１部分２０ｅと第２部分２０ｆとを有する。第１部分２０ｅは、二つの第２の端子部２０ｂのうちの一方の第２の端子部２０ｂにおける接続部２０ｄから離間した部分から、二つの第２の端子部２０ｂのうちの他方の第２の端子部２０ｂに沿って延びて設けられている。第２部分２０ｆは、第１部分２０の先端部２０ｇから他方の第２の端子部２０ｂ側の反対側に折り返して設けられ、外部コネクタ１８と電気的に接続されている。第２部分２０ｆは、ばね性を有している。
【００３２】
補強部材２１は、図５に示すように、両端部１６ａ，１６ｂに設けられている。補強部材２１は、絶縁部材１９に設けられており、絶縁部材１９を補強している。一対の補強部材２１の相互間には、複数の端子部材２０が位置されている。補強部材２１には、複数の固定部２１ａが設けられている。複数の固定部２１ａは、複数の第２の端子部２０ｂに対応して設けられている。詳細には、第２の端子部２０ｂが設けられた側部１６ｄ，１６ｅに設けられている。固定部２１ａは、対応する第２の端子部２０ｂに沿って設けられている。固定部２１ａは、棒状に設けられている。二つの固定部２１ａは、略直角をなして接続されている。各補強部材２１における二つ（複数）の固定部２１ａのうちの一つが回路基板７に固定されている。固定部２１ａは、回路基板７の実装面７ａに、一例としてはんだ（図示されず）によって固定されている。実装面７ａは、第１のコネクタ１６Ａが電気的に接続された面である。補強部材２１は、電気回路は構成しない。
【００３３】
以上説明した第１のコネクタ１６Ａは、挿入部１９ｇへの外部コネクタ１８の挿入方向が回路基板７の実装面７ａに略垂直な所謂ストレート実装状態となっている。第１のコネクタ１６Ａは、一例として、回路基板７の中央部に位置されている（図４）。第１のコネクタ１６Ａは、一例として、回路基板７に実装された部品９間に位置されている（図４）。つまり、テレビジョン受像機１Ａにあっては、一例として、回路基板７の中央部や部品９間では、ストレート実装の第１のコネクタ１６Ａが用いられる。一方、図６，図９，図１０に示す第２のコネクタ１６Ｂは、挿入部１９ｇへの外部コネクタ１８の挿入方向が回路基板７の実装面７ａと略平行な所謂ライトアングル実装となっている。第２のコネクタ１６Ｂでは、側部１６ｄが実装面７ａに実装されている。第２のコネクタ１６Ｂは、一例として、回路基板７の端部に位置されている（図４）。つまり、テレビジョン受像機１Ａにあっては、一例として、回路基板７の端部では、ライトアングル実装の第２のコネクタ１６Ｂが用いられる。
【００３４】
ここで、本実施形態では、側部１６ｄは、第１の側部の一例であり、側部１６ｅは、第２の側部の一例である。側部１６ｄに設けられた複数の第２の端子部２０ｂは、第１の実装部１６ｈを構成し、側部１６ｅに設けられた複数の第２の端子部２０ｂは、第２の実装部１６ｉを構成している。そして、第１のコネクタ１６Ａおよび第２のコネクタ１６Ｂでは、第１の実装部１６ｈと第２の実装部１６ｉとのうちの一方が回路基板７に電気的に接続されている。第１のコネクタ１６Ａでは、第２の実装部１６ｉが回路基板７に電気的に接続され、第２のコネクタ１６Ｂでは、第１の実装部１６ｈが回路基板７に電気的に接続されている。
【００３５】
以上の説明からわかるように、本実施形態では、第１のコネクタ１６Ａ（電子部品）および第２のコネクタ１６Ｂ（電子部品）は、回路基板７（第１の部材）に連結（接続、固定）可能な複数の側部１６ｄ，１６ｅを有し、複数の側部１６ｄ，１６ｅのうちの一つが回路基板７（第１の部品）に連結されている。
【００３６】
以上説明したとおり、本実施形態では、第１のコネクタ１６Ａおよび第２のコネクタ１６Ｂは、第１の実装部１６ｈと第２の実装部１６ｉとを有している。したがって、第１のコネクタ１６Ａおよび第２のコネクタ１６Ｂは、回路基板７に対する実装姿勢として二つ（複数の）を有する。よって、回路基板７の実装効率を向上させることができる。よって、第１のコネクタ１６Ａおよび第２のコネクタ１６Ｂを備えるテレビジョン受像機１Ａは、回路基板７の実装効率を向上させることができる。
【００３７】
また、本実施形態では、回路基板７に、ＣＰＵ等の複数の部品９（部品、素子、電子部品、電気部品）が実装されていてよい。また、回路基板７に実装される部品９には、一例として、冷却機構を設けることができる。そして、本実施形態では、一例として、回路基板７の中央部や部品９間では、ストレート実装の第１のコネクタ１６Ａが用いられ、回路基板７の端部では、ライトアングル実装の第２のコネクタ１６Ｂが用いられるので、第１のコネクタ１６Ａや第２のコネクタ１６Ｂの近傍に部品９を実装しても、第１のコネクタ１６Ａや第２のコネクタ１６Ｂに外部コネクタ１８を比較的に容易に接続することができる。
【００３８】
なお、本実施形態では、第１の部材の例として回路基板７を挙げ、電子部品の例として第１のコネクタ１６Ａおよび第２のコネクタ１６Ｂを挙げたが、これに限るものではない。例えば、第１の部材と電子部品としては、電子部品が第１の部材に連結可能な複数の側部を有し、複数の側部のうちの一つが第１の部品に連結されたものであればよい。第１の部材としては、例えば、筐体内壁や部品側面であってよい。また、電子部品としては、電例えば、アンテナ、コンデンサ、ソケットなどであってよい。
【００３９】
次に、本実施形態の変形例を説明する。図１１に示すように、本変形例の第１のコネクタ１６Ａでは、二つの第２の端子部２０ｂが第１の端子部２０ａを介して接続されている。側部１６ｄに設けられた第２の端子部２０ｂは、第１の端子部２０ａの先端部２０ｇに接続されている。
【００４０】
＜第２実施形態＞
本実施形態では、図１２に示すように、端子部材２０に、側部１６ｄ，１６ｅに設けられた二つ第２の端子部２０ｂとは別の第２の端子部２０ｂが、側部１６ｆに設けられている。側部１６ｆの第２の端子部２０ｂは、側部１６ｄ，１６ｅに設けられた二つの第２の端子部２０ｂの一方の（側部１６ｅに設けられた）第２の端子部２０ｂにおける接続部２０ｄと反対側の端部２０ｈから他方の（側部１６ｄに設けられた）第２の端子部２０ｂに沿って延びている。側部１６ｆに設けられた複数の第２の端子部２０ｂは、第３の実装部１６ｊを構成している。
【００４１】
また、図１３に示すように、補強部材２１には、側部１６ｄ，１６ｅに設けられた二つの固定部２１ａとは別の固定部２１ａが、側部１６ｆに設けられている。補強部材２１は、概略Ｕ字状をなしている。
【００４２】
以上説明した本実施形態では、第１のコネクタ１６Ａは、第１の実装部１６ｈと第２の実装部１６ｉと第３の実装部１６ｊとを有している。したがって、第１のコネクタ１６Ａは、回路基板７に対する複数の実装姿勢を有する。よって、回路基板７の実装効率を向上させることができる。
【００４３】
次に、本実施形態の変形例を説明する。図１４に示すように、本変形例の第１のコネクタ１６Ａでは、第１の端子部２０ａが二つ設けられている。二つの第１の端子部２０ａは、側部１６ｅに設けられた第２の端子部２０ｂから延出している。これらの第１の端子部２０ａは、外部コネクタ１８の接続端子に接続される。これらの第１の端子部２０ａは、外部コネクタ１８を挟む。また、図１５に示すように、補強部材２１は、矩形状に形成されており、補強部材２１は、三つの固定部（固定面）２１ａを有する。
【００４４】
＜第３実施形態＞
図１６に示すように、本実施形態では、複数の端子部材の列方向で二つ（複数）の第２の端子部２０ｂがずれて位置された端子部材２０が設けられている。一例として、本実施形態では、複数の端子部材２０のうちの一つ（図１６の手前側の端子部材２０）で、複数の端子部材２０の列方向（絶縁部材１９の長手方向）で二つ（複数）の第２の端子部２０ｂがずれて位置されている。また、一対の補強部材２１のうちの一つが、複数の端子部材２０の列方向（絶縁部材１９の長手方向）で二つの固定部２１ａがずれて位置されている。
【００４５】
以上説明した本実施形態では、複数の端子部材２０の列方向（絶縁部材１９の長手方向）で二つ（複数）の第２の端子部２０ｂがずれて位置された端子部材２０が設けられているので、回路基板７への実装姿勢を間違えることを抑制することができる。
【００４６】
また、本実施形態や第２実施形態では、第１の実施形態と同様に、回路基板７に、ＣＰＵ等の複数の部品９（部品、素子、電子部品、電気部品）が実装されていてよい。また、回路基板７に実装される部品９には、一例として、冷却機構を設けることができる。そして、本実施形態では、一例として、回路基板７の中央部や部品９間では、ストレート実装の第１のコネクタ１６Ａが用いられ、回路基板７の端部では、ライトアングル実装の第２のコネクタ１６Ｂが用いられるので、第１のコネクタ１６Ａや第２のコネクタ１６Ｂの近傍に部品９を実装しても、第１のコネクタ１６Ａや第２のコネクタ１６Ｂに外部コネクタ１８を比較的に容易に接続することができる。
【００４７】
＜第４実施形態＞
本実施形態にかかる電子機器１Ｂは、例えば、所謂スレート型、タブレット型、ソフトキーボードの機能を有した表示装置等の、パーソナルコンピュータ、テレビジョン受像機、スマートフォン、スマートブック、携帯電話機、ＰＤＡ等である。
【００４８】
本実施形態では、一例として、図１７，１８からわかるように、電子機器１Ｂの筐体３Ｂは、正面視および背面視では矩形状（本実施形態では一例として長方形状）の外観を呈している。また、筐体３Ｂは、前後方向（筐体３Ｂの厚さ方向、Ｚ方向）に薄い偏平な直方体状に構成されている。筐体３Ｂは、前面３ａ（正面、面、面部）とその反対側の後面３ｂ（背面、面、面部）と、を有する。前面３ａと後面３ｂとは略並行して（本実施形態では一例として平行に）設けられている。また、筐体３Ｂは、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。端部３ｄ，３ｆは、短辺部の一例である。
【００４９】
また、筐体３Ｂは、前面３ａを有する壁部３ｋ（部分、プレート、フレーム、前壁部、表壁部、天壁部）と、後面３ｂを有する壁部３ｍ（部分、プレート、後壁部、裏壁部、底壁部、第二壁部）と、を有する。壁部３ｋ，３ｍは、矩形状（本実施形態では一例として長方形状）である。また、筐体３Ｂは、壁部３ｋと壁部３ｍとの間に亘った側面３ｐ（面、周面）を有する四つの壁部３ｎ（部分、プレート、側壁部、端壁部、立壁部、亘部、第一壁部）を有する。そして、壁部３ｋには、一例としては矩形状の開口部３ｒが設けられている。
【００５０】
さらに、筐体３Ｂは、複数の部品（分割体）が組み合わせられて構成されることができる。筐体３Ｂは、一例としては、少なくとも壁部３ｋを含む第一部材３Ｆｒ（第一部分、前側部材、カバー、ベゼル、フレーム）と、少なくとも壁部３ｍを含む第二部材３Ｒｒ（第二部分、後側部材、ベース、ボトム、プレート）とを有する。また、壁部３ｎは、本実施形態では、基本的には第一部材３Ｆｒの一部として構成されている。すなわち、壁部３ｎは、筐体３Ｂの厚さ方向の開口部３ｒが設けられた側の端部３ｎ１（一端部、前端部、前面３ａ）とその反対側の端部３ｎ２（他端部、後端部、後面３ｂ）とに亘り（図１７等参照）、表示装置４の周縁部（側面４ｂ）を覆っている。また、壁部３ｎは、他の壁部３ｋ，３ｂより厚い。よって、筐体３Ｂの厚さ方向の剛性および強度がより高まりやすい。
【００５１】
また、本実施形態では、一例として、第一部材３Ｆｒは、合成樹脂材料で構成され、第二部材３Ｒｒは、金属材料で構成される。よって、本実施形態によれば、上記第１実施形態と同様に、筐体３Ｂの軽量化と剛性および強度の向上とが両立されやすい。なお、このような材料（材質）の組み合わせはあくまで一例であって、他の材料の組み合わせでも構わない。
【００５２】
また、図１７に示されるように、壁部３ｎの外面の厚さ方向の中間部（中央部）には、端部３ｃ〜３ｆに沿って延びた溝３２ｂが設けられている。そして、この溝３２ｂの少なくとも一部には、溝３２ｂに沿って延びた部材３２ｃが収容されている（埋められている）。壁部３ｎと部材３２ｃとは、材質や色を異ならせることができる。部材３２ｃが壁部３ｎより堅い部材で構成された場合には、一例としては、壁部３ｎが補強される。一方、部材３２ｃが壁部３ｎより柔らかい部材（一例としては弾性部材）で構成された場合には、壁部３ｎの柔軟性（可撓性）が高められ、一例としては、衝撃吸収性が高められやすい。また、溝３２ｂには、部分的に、部材３２ｃに替えて、スイッチ等の操作部３２ｄが設けられる。この操作部３２ｄ用のスイッチとしては、電源スイッチや、ボリュームコントロールスイッチ、リセットスイッチ等がある。部材３２ｃおよび操作部３２ｄの壁部３ｎからの突出高さは、同じにすることができる。このような構成によれば、操作部３２ｄが外見上目立ちにくくなる。また、部材３２ｃと操作部３２ｄとが連続するため、美観が向上されやすい。
【００５３】
また、本実施形態では、一例として、図１７，１９に示されるように、筐体３Ｂ内には、表示装置４（表示部、ディスプレイ、パネル、表示部品）が収容されている。具体的には、表示装置４の、前面３ａ側に位置した表示面４ａは、開口部３ｒを介して筐体３Ｂの前方（外方）に露出している。使用者は、前方側から開口部３ｒを介して表示面４ａを視認することができる。表示装置４は、正面視では矩形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid  crystal  display）や、有機ＥＬディスプレイ（ＯＥＬＤ，organic  electro-luminescent  display）、プラズマディスプレイ（ＰＤＰ，plasma  display  panel）等である。また、本実施形態では、上記第１実施形態と同様に、表示装置４の前側（表側、壁部３ｋ側）には、透明な比較的薄い矩形状の入力操作パネル５（一例としてはタッチパネル、タッチセンサ、操作面）が設けられている。また、本実施形態では、上記第１実施形態と同様、表示装置４および入力操作パネル５は、第一部材３Ｆｒに支持される。
【００５４】
また、本実施形態では、一例として、図１９〜２１に示されるように、筐体３Ｂ内には、表示装置４の後側（裏面側４ｂ，裏側、背後側、壁部３ｍ側、表示面４ａとは反対側）には、電気部品として、バッテリ６（セル、組電池）や、回路基板７（回路基板、プリント基板、制御基板）、カメラモジュール１０（カメラユニット、カメラアセンブリ、撮像装置）、スピーカモジュール１１（スピーカユニット、スピーカアセンブリ、音声出力装置）、コネクタモジュール１２（コネクタユニット、コネクタセンブリ、コネクタ装置）、アンテナモジュール１３（アンテナユニット、アンテナアセンブリ、アンテナ装置）、振動発生部１４（回転シャフトに偏心錘が取り付けられたモータ）等が収容されている。これら電気部品は、配線１５（ケーブル、フレキシブルケーブル、フレキシブルプリント配線板等）を介して、それぞれ他の電気部品と電気的に接続されている。
【００５５】
本実施形態では、一例として、バッテリ６は、リチウムイオン二次電池として構成されることができる。本実施形態では、一例として、表示装置４の他、筐体３Ｂに装備された電気部品に、コネクタ１６や配線１５等を介して、電子機器１Ｂが映像を表示したり音声を出力したりといった動作を行うために必要な電源電力を供給することができる。また、バッテリ６は、コネクタ１６や配線１５等を介して回路基板７等に接続された外部装置等に電力を供給することもできる。
【００５６】
また、本実施形態では、一例として、図２０，２１に示されるように、バッテリ６は複数のセル６１，６２，６３を有している。複数のセル６１，６２，６３は、端部３ｃに沿って並べられている。また、本実施形態では、一例として、バッテリ６は、回路基板６４を有し、複数のセル６１，６２，６３は、各セル６１，６２，６３の電極６５を介して回路基板６４（の導体パターン）に接続（接合）され、一体化されている。このように、複数のセル６１，６２，６３が一体化されることで、各セル６１，６２，６３を組み付ける場合に比べて、製造の手間およびコストが低減されやすい。また、回路基板６４は、一例としては、回路基板７と各セル６１，６２，６３との間、あるいは、各セル６１，６２，６３間を電気的に接続するバスバー（導体）を有する。また、回路基板６４には、部品９が設けられて（実装されて）いる。部品９と回路基板６４の導体パターン（配線パターン、図示されず）とによって、一例としては、各セル６１，６２，６３あるいはバッテリ６の出力電力（電圧）や温度等を監視する機能を実現するための電気回路（電子回路）が構成されている。
【００５７】
本実施形態では、一例として、回路基板７には、例えば、ＣＰＵ（central  processing  unit）や、グラフィックコントローラ、電源回路部品、ＰＣＨ（platform  controller  hub）、メモリスロットコネクタ、ＬＣＤコネクタ、Ｉ／Ｏ（input/output）コネクタ、電源コイル、素子、コネクタ等の複数の部品９を実装することができる。部品９には、発熱体が含まれる。回路基板７（の部品９）には、冷却機構１７（冷却機構）を設けることができる。
【００５８】
また、本実施形態では、一例として、回路基板７および部品９によって、制御回路（図示されず）の少なくとも一部が構成されている。また、制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）等）、音声信号処理回路等を、含むことができる。制御回路は、表示装置４の表示面４ａでの映像（動画や静止画等）の出力や、スピーカ（図示されず）での音声の出力、ＬＥＤ（light  emitting  diode、図示されず）での発光等を制御する。表示装置４や、スピーカ、ＬＥＤ等は、出力部の一例である。
【００５９】
また、本実施形態では、一例として、図１９〜２１に示されるように、バッテリ６ならびに回路基板７は、筐体３Ｂの厚さ方向（Ｚ方向）には重ならず、壁部３ｍの筐体内側の面３ｓ（第一面）に沿って位置されている。よって、バッテリ６と回路基板７とが厚さ方向に重なった場合に比べて、筐体３Ｂをより薄く構成することができる。また、本実施形態でも、上記第１実施形態と同様に、壁部３ｍの面３ｓと、当該面３ｓに対向したバッテリ６の面（第二面、図示されず）ならびに回路基板７の面（第二面、図示されず）とは、接着剤あるいは両面テープ（粘着テープ）等を介して少なくとも部分的に接着（密着）されている。よって、本実施形態でも、バッテリ６や回路基板７等の電気部品が筐体３Ｂの壁部３ｍに接着されたことによる上記第１実施形態と同様の効果が得られる。
【００６０】
また、一例として、面３ｓに対向したバッテリ６の面ならびに回路基板７の面は、壁部３ｍの中心（中心線ＣＬ、図２０，２１参照）を挟んだ両側に亘って、好適にはそれらの面の比較的広い領域同士が、さらに好適には、面３ｓに対向したバッテリ６の面ならびに回路基板７の面の端部３ｃ側の端部６ａ１，７ａ１と端部３ｅ側の端部６ａ２，７ａ２とに亘って、接着されている。よって、一例としては、壁部３ｍの局所的な曲げが抑制されやすい。さらに、本実施形態では、一例として、バッテリ６が端部３ｃ（第二端部）に寄せて位置され、回路基板７が端部３ｅ（第一端部）に寄せて位置されている。よって、一例としては、壁部３ｍが端部３ｃ側から端部３ｅ側に亘るより広い範囲で補強されやすい。また、一例としては、バッテリ６と端部３ｅとの間の領域Ｓ１または回路基板７と端部３ｃとの間の領域Ｓ２が、他の回路基板（例えば、表示装置４のドライバ回路基板４ｃ等、図１９参照）や配線１５等を位置させるのに利用されやすくなる。さらに、本実施形態では、一例として、バッテリ６あるいは回路基板７は、端部３ｃまたは端部３ｅとの間に隙間をあけて位置されている。よって、本実施形態によれば、一例としては、より手指等が当たりやすい端部３ｃ，３ｅがバッテリ６あるいは回路基板７で生じた熱によって、暖められるのが抑制されやすい。そして、図２０から明らかとなるように、本実施形態では、一例として、壁部３ｍの中心線ＣＬを含む中央部に、端部３ｃ，３ｅに沿った方向の一方側（端部３ｄ側）から他方側（端部３ｆ側）に亘って、電気部品が接着された領域Ａｒが形成される。よって、本実施形態によれば、一例としては、第二部材３Ｒｒの壁部３ｍひいては筐体３Ｂの剛性および強度がより向上されやすい。
【００６１】
また、本実施形態では、一例として、図２０に示されるように、第二部材３Ｒｒの端部３ｃには、Ｕ字状の切欠部３０ａが設けられている。この切欠部３０ａには、導電性の低い材料（非導電性材料、絶縁性材料、例えば合成樹脂材料等）で構成された第三部材３Ｉｓが取り付けられている。第三部材３Ｉｓは、第二部材３Ｒｒの壁部３ｍの切欠部３０ａに、熱溶着等によって結合されている。
【００６２】
また、本実施形態では、一例として、図２０に示されるように、導電性の低い材料で構成された第三部材３Ｉｓに、アンテナモジュール１３およびカメラモジュール１０が取り付けられている。このような構成により、導電性材料が電磁シールドとなってアンテナモジュール１３の通信に影響が及ぶのが抑制されやすい。また、図１８に示されるように、後面３ｂ側には、カバー（プレート）１０ａが設けられ、このカバー１０ａを介して、カメラモジュール１０のレンズ１０ｂおよびライト１０ｃが露出されている。
【００６３】
また、本実施形態では、一例として、図２０に示されるように、アンテナモジュール１３は、通信部１３ａとグラウンド部１３ｂとを有する。そして、グラウンド部１３ｂの一部が、バッテリ６と第二部材３Ｒｒの壁部３ｍとの間に挟まれている。グラウンド部１３ｂは、壁部３ｍと電気的に接続された場合、グラウンド部１３ｂと壁部３ｍとでグラウンドレベル（電位）を近付けることができ、アンテナモジュール１３へのノイズの混入が低減されやすい。また、アンテナモジュール１３のグラウンド部１３ｂとバッテリ６の外皮とのグラウンドレベル（電位）が近付きやすい。
【００６４】
また、本実施形態では、一例として、図２０に示されるように、カメラモジュール１０に電気的に接続される配線１５ａ（１５）が、フレキシブルプリント配線板として構成され、バッテリ６と筐体３Ｂの厚さ方向に重なっている。よって、本実施形態によれば、一例としては、配線１５ａが電磁シールドとなってアンテナモジュール１３の通信に影響が及ぶのが、抑制されやすい。また、本実施形態では、一例として、図２０に示されるように、配線１５ａは、バッテリ６の縁部に沿って延びている。よって、本実施形態によれば、一例としては、配線１５ａを、温度が高くなりやすいバッテリ６の中央部から外れて配置することができる。
【００６５】
また、本実施形態では、一例として、図２０，２１に示されるように、回路基板７に第１のコネクタ１６Ａおよび第２のコネクタ１６Ｂが設けられている。第１のコネクタ１６Ａおよび第２のコネクタ１６Ｂは、回路基板７の縁部（端部、辺部）に実装されている。第１のコネクタ１６Ａおよび第２のコネクタ１６Ｂは、冷却機構１７の縁に沿って配置されている（図２１）。第１のコネクタ１６Ａは、バッテリ６の角部に隣接して配置されている。第２のコネクタ１６Ｂは、スピーカモジュール１１に隣接して配置されている。第１のコネクタ１６Ａおよび第２のコネクタ１６Ｂの間には、他のコネクタ１６が配置されている。第１のコネクタ１６Ａは、一例として、回路基板７において側方にバッテリ６が存在せずに空間がある部位に位置されている（図２１）。これにより、第１のコネクタ１６Ａに回路基板７の側方から外部コネクタを接続することができる。一方、第２のコネクタ１６Ｂは、一例として、回路基板７において側方にバッテリ６が存在している部位に位置されている（図２１）。これにより、回路基板７の側方にバッテリ６を配置することと第２のコネクタ１６Ｂへの外部コネクタの接続とを両立させることができる。
【００６６】
以上の第４実施形態にかかる電子機器１Ｂにおいても、上記第１実施形態にかかるテレビジョン受像機１Ａと同様の構成を有することによる同様の効果が得られる。
【００６７】
＜第５実施形態＞
図２２に示す本実施形態にかかる電子機器１Ｃは、所謂ノート型のパーソナルコンピュータとして構成されている。電子機器１Ｃは、矩形状の扁平な第一の本体部１２２と、矩形状の扁平な第二の本体部１２３と、を備えている。これら第一の本体部１２２及び第二の本体部１２３は、ヒンジ機構１２４を介して、回動軸Ａｘ回りに図２２に示す展開状態と図示しない折り畳み状態との間で相対回動可能に、接続されている。
【００６８】
第一の本体部１２２には、筐体１２２ａの外面としての前面１２２ｂ側に露出する状態で、入力操作部としてのキーボード１２５や、ポインティングデバイス１２６、クリックボタン１２７等が設けられている。一方、第二の本体部１２３には、筐体１２３ａの外面としての前面１２３ｂ側に露出する状態で、表示装置（部品）としての表示器１２８が設けられている。表示器１２８は、例えば、ＬＣＤ（Liquid  Crystal  Display）として構成される。そして、電子機器１Ｃの展開状態では、キーボード１２５や、ポインティングデバイス１２６、クリックボタン１２７、表示器１２８の表示面１２８ａ等が露出して、ユーザが使用可能な状態となる。一方、折り畳み状態では、前面１２２ｂ，１２３ｂ同士が相互に近接した状態で対向して、キーボード１２５や、ポインティングデバイス１２６、クリックボタン１２７、表示器１２８等が、筐体１２２ａ，１２３ａによって隠された状態となる。なお、図２２では、キーボード１２５のキー１２５ａは一部のみ図示されている。
【００６９】
そして、第１実施形態で示した回路基板７と同様の回路基板１２１が、第一の本体部１２２の筐体１２２ａまたは第一の本体部１２２の筐体１２２ａ内に（本実施形態では、筐体１２２ａ内のみに）収容されている。回路基板１２１には、第１のコネクタ１６Ａおよび第２のコネクタ１６Ｂが実装されている。
【００７０】
表示器１２８は、回路基板１２１に実装されたＣＰＵ１０４等で構成された制御回路から表示信号を受け取り、静止画や動画等の映像を表示する。また、電子機器１Ｃの制御回路は、ＣＰＵ１０４の他に、記憶部（例えば、ＲＯＭ（Read  Only  Memory）、ＲＡＭ（Random  Access  Memory）、ＨＤＤ（Hard  Disk  Drive）等）、インタフェース回路、各種コントローラ等を有している。また、電子機器１Ｃは、音声出力用のスピーカ等（図示せず）も内蔵している。
【００７１】
以上の第４実施形態にかかる電子機器１Ｃにおいても、上記第１実施形態にかかるテレビジョン受像機１Ａと同様の構成を有することによる同様の効果が得られる。
【００７２】
以上説明したとおり、上記の各実施形態によれば、回路基板の実装効率を向上させることができる。
【００７３】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、上記の各実施形態では、コネクタと基板との接続（固定、連結）について、コネクタが複数の姿勢で基板に接続可能な例を説明したがこれに限るものではない。
【符号の説明】
【００７４】
１Ａ…テレビジョン受像機（電子機器）、１Ｂ…電子機器、３Ａ，３Ｂ，１２２ａ…筐体、４，１２８…表示装置、４ａ…表示面、４ｄ…背面、７，１２１…回路基板（第１の部材）、７ａ…実装面、１６Ａ…第１のコネクタ（コネクタ、電子部品）、１６Ｂ…第２のコネクタ（コネクタ、電子部品）、１８…外部コネクタ、１９…絶縁部材、１９ｇ…挿入部、１６ｃ，１６ｆ…側部、１６ｈ…第１の実装部、１６ｄ…側部（第１の側部）、１６ｅ…側部（第２の側部）、１６ｉ…第２の実装部、２０…端子部材、２０ａ…第１の端子部、２０ｂ…第２の端子部、２０ｄ…接続部、２０ｅ…第１部分、２０ｇ…先端部、２０ｆ…第２部分、２１…補強部材、２１ａ…固定部。
【要約】
【課題】回路基板の実装効率を向上させることができるテレビジョン受像機および電子機器を得る。
【解決手段】実施形態のテレビジョン受像機は、筐体と、表示装置と、回路基板と、コネクタと、を備えた。前記コネクタは、外部コネクタが挿入される挿入部が設けられた絶縁部材と、前記挿入部への前記外部コネクタの挿入方向と交差する方向で前記絶縁部材に並列して設けられた複数の端子部材と、各前記端子部材に含まれ、前記挿入部内で前記外部コネクタと電気的に接続される第１の端子部と、各前記端子部材に含まれ、前記第１の端子部に電気的に接続され相互に異なる方向を向いた複数の第２の端子部と、を有し、各前記端子部材における前記複数の第２の端子部のうちの一つが前記回路基板に電気的に接続された。
【選択図】図５【図１】
0005214798.tif 000002
【図２】
0005214798.tif 000003
【図３】
0005214798.tif 000004
【図４】
0005214798.tif 000005
【図５】
0005214798.tif 000006
【図６】
0005214798.tif 000007
【図７】
0005214798.tif 000008
【図８】
0005214798.tif 000009
【図９】
0005214798.tif 000010
【図１０】
0005214798.tif 000011
【図１１】
0005214798.tif 000012
【図１２】
0005214798.tif 000013
【図１３】
0005214798.tif 000014
【図１４】
0005214798.tif 000015
【図１５】
0005214798.tif 000016
【図１６】
0005214798.tif 000017
【図１７】
0005214798.tif 000018
【図１８】
0005214798.tif 000019
【図１９】
0005214798.tif 000020
【図２０】
0005214798.tif 000021
【図２１】
0005214798.tif 000022
【図２２】
0005214798.tif 000023